Podtech/llm-jp-corpus-v4-ja_patent huggingface dataset:
【事件の表示】
　商願２０１５−７１４９６拒絶査定不服審判事件について、次のとおり審決する。
【結　論】
　原査定を取り消す。
　本願商標は、登録すべきものとする。
【理　由】
１　本願商標　
　本願商標は、別掲のとおりの構成からなり、第１１類「業務用電気式美容機械器具，家庭用電気式美容機械器具，美容院用又は理髪店用の機械器具（「いす」を除く。）」を指定商品として、平成２７年７月２６日に登録出願されたものである。
２　引用商標
　原査定において、本願商標が商標法第４条第１項第１１号に該当するとして、本願の拒絶の理由に引用した登録第５３２６９３８号商標（以下「引用商標」という。）は、「Ｂｅａｍｏｎ」の欧文字を標準文字で表してなり、平成２１年１０月８日に登録出願され、第１１類「業務用電気式美容機械器具，家庭用電気式美容機械器具，美容院用又は理髪店用の機械器具（「いす」を除く。）」を指定商品として、同２２年６月４日に設定登録されたものである。
３　当審の判断　
（１）本願商標
　本願商標は、別掲のとおり、四隅を丸くした長方形枠線内にゴシック体で「Ｂｅａｍ」及び「ｏｎ」の欧文字を表し（以下、両欧文字を合わせていうときは「欧文字部分」という。）、両欧文字の間に雷光状の図形を黄土色で表してなる（以下「図形部分」という。）ところ、その構成中の該枠線は、ありふれた輪郭を表すものにすぎないことから、本願商標中、出所識別標識として機能する部分は、欧文字部分及び図形部分であるというべきである。
　そして、欧文字部分中の「Ｂｅａｍ」及び「ｏｎ」の両欧文字は、その間に図形部分が配置されているものの、それぞれ、「ビーム」及び「オン」と称呼され、「光を発する」及び「〜の上に」の意味合いを表す英語として広く親しまれたものであり、２語の一連の句として理解されることから、本願商標は、その構成中の欧文字部分から、「ビームオン」の称呼及び「〜の上に光を発する」という観念を生ずるものである。
（２）引用商標
　引用商標は、前記２のとおり、「Ｂｅａｍｏｎ」の欧文字を標準文字で表してなるところ、該文字は、同じ書体、同じ大きさ及び同じ間隔をもって、一連一体に表されているものである。
　そうすると、引用商標は、その構成文字から「ビーモン」の称呼を生じ、また、該文字は、辞書に掲載のないものであるから、直ちに特定の観念を生じない造語とみるのが相当である。
（３）本願商標と引用商標との類否
　本願商標中の要部である欧文字部分及び図形部分と引用商標とは、それぞれ上記（１）及び（２）のとおりの構成であって、両者は、欧文字の綴り字を共通にするものの、図形の有無という差異を有するものであるから、外観上区別し得るものである。
　次に、両商標から生ずる称呼についてみるに、本願商標中の要部である欧文字部分及び図形部分は、「ビームオン」の称呼を生ずるものであるのに対し、引用商標は、「ビーモン」の称呼を生ずるものであるところ、両称呼は、構成音数を異にし、また、中間部において「ムオ」の音と「モ」の音を異にすることから、それぞれ称呼するときは、その語調、語感が明らかに異なり、両者は明確に聴別し得るものである。
　さらに、観念においては、本願商標は、その要部である欧文字部分から、「〜の上に光を発する」という観念を生ずるのに対し、引用商標は、特定の観念を生ずるものではないから、観念上相紛れるおそれはないものである。
　そうすると、本願商標と引用商標とは、外観、称呼及び観念のいずれにおいても、相紛れるおそれのない非類似の商標である。
（４）まとめ 
　以上のとおり、本願商標と引用商標とは、非類似の商標であるから、両商標の指定商品が共通するものであるとしても、本願商標が商標法第４条第１項第１１号に該当するとして本願を拒絶した原査定は、取消しを免れない。 
　その他、本願について拒絶の理由を発見しない。
　よって、結論のとおり審決する。
【事件の表示】
　上記当事者間の登録第５１９３６５２号商標の登録取消審判事件について，次のとおり審決する。
【結　論】
　本件審判の請求は，成り立たない。
　審判費用は，請求人の負担とする。
【理　由】
第１　本件商標
　本件登録第５１９３６５２号商標（以下「本件商標」という。）は，「クリニック」の片仮名を横書きしてなり，平成２０年５月８日に登録出願，第５類「ペット用消臭剤」を指定商品として，同２１年１月９日に設定登録されたものである。
　なお，本件審判の請求の登録日は，平成２８年９月２０日である。
　　
第２　請求人の主張
　請求人は，商標法第５０条第１項の規定により，本件商標の登録を取り消す，審判費用は被請求人の負担とする，との審決を求め，その理由を要旨次のように述べ，証拠方法として甲第１号証及び甲第２号証を提出した。
　請求の理由
　請求人の知る限り，本件商標の商標権者である被請求人は，継続して３年以上日本国内において，本件商標をその指定商品に関して正当な理由無く使用していない。また，本件商標について専用使用権は設定されておらず，通常使用権の登録もない。
　よって，本件商標は，商標法第５０条第１項の規定により登録を取り消されるべきである。
　なお，請求人は，被請求人提出の審判事件答弁書に対し，何ら弁駁していない。
　　
第３　被請求人の主張
　被請求人は，審判事件答弁書において，結論同旨の審決を求めると答弁し，その理由を「本品クリニックは存在し，登録後７年間生産，販売をしている。」と述べ，証拠方法として乙第１号証ないし乙第３号証を提出した。
　　
第４　当審の判断
　１　被請求人が提出した乙各号証によれば，以下のとおりである。
（１）乙第３号証は，３種のラベルの写しであり，上段のラベル（以下「本件ラベル」という。）には，左下に「発売元」として「（有）グリーン・アンド・ソイル／環境衛生事業部／札幌市南区石山６９５−１／ＴＥＬ・ＦＡＸ０１１−５９２−２９３９」の記載があり，中央には，「ペットにやさしい」の記載と，その下に，大きく顕著に「クリニック●消臭剤」（●は，小さく記載された○の中に「Ｒ」の記号。以下同じ。）の表示と，その下に「瞬間　消臭＆除菌」及び犬の写真が表されている。
　さらに，右中央に「成分・容量」として「微酸性次亜塩素酸水・２Ｌ」，下部分に，バーコード「４９３４９２６８０２０６５」の記載がある。
（２）乙第１号証は，店頭販売写真とする３葉の写真であり，そこには多数の商品が陳列されている。
　そして，下段の写真に示された白色の大きなボトルには，本件ラベルが付されているのが見て取れる。
（３）乙第２号証は，販売先の納品伝票（写し）とする書面であり，その３枚目の「物品受領書」（以下「本件受領書」という。）には，社名の欄に「（株）ジョイフルエーケー」，店名の欄に「屯田店」，取引先名の欄に「有限会社グリーン・アンド・ソイル」，納品日の欄に「２８（年）０９（月）０６（日）」，品名・規格の欄に「クリニック徳用２Ｌ」，商品コードの欄に「４９３４９２６８０２０６５」，数量の欄に「１０」の記載がある。
　２　上記１によれば，次のとおり判断できる。
（１）本件ラベルには，「ペットにやさしい」及び「クリニック●消臭剤」の記載があり，「瞬間　消臭＆除菌」及び犬の写真が表されていることから，これは，本件審判の請求に係る指定商品「ペット用消臭剤」のラベルということができる。
（２）本件ラベルに記載された「クリニック」の文字は，それ自体大きく顕著に表されていること，加えて該文字には登録商標であることを表すものとして一般に使用されている記号●が付されていることから，独立して商品の出所識別標識としての機能を果たすものであり，「クリニック」の文字からなる本件商標と，社会通念上同一のものと認められる。
（３）本件ラベルに「発売元」として表示されている「（有）グリーン・アンド・ソイル」は，本件商標権者（被請求人）の名称と表示方法が相違するものの，「ＴＥＬ・ＦＡＸ」が，審判事件答弁書に記載された被請求人の「電話及びＦＡＸ」の番号と同一であるから，本件ラベルは，本件商標権者の取扱いに係る「ペット用消臭剤」のラベルということができる。
（４）（株）ジョイフルエーケー（屯田店）が，要証期間に含まれる平成２８年９月６日に，有限会社グリーン・アンド・ソイル（本件商標権者）から，受領した商品コード「４９３４９２６８０２０６５」とする「クリニック徳用２Ｌ」の商品は，本件受領書に記載された「クリニック」の文字及び該商品コードと，本件ラベルに表示された「クリニック」の文字及びバーコードとが一致するから，本件ラベルが付された「ペット用消臭剤」と認められる。
（５）店頭には，本件ラベルが付された商品が陳列されていることが認められる。
　３　小括
　以上によれば，本件商標権者は，本件審判の請求の登録前３年以内に，日本国内において本件審判の請求に係る指定商品「ペット用消臭剤」の包装に本件商標と同一又は社会通念上同一と認められる商標を付したものを（株）ジョイフルエーケー（屯田店）に引き渡したと認められる。
　本件商標権者による上記行為は，本件審判の請求に係る指定商品についての商標法第２条第３項第２号にいう「商品の包装に標章を付したものを引き渡す行為」に該当するものである。
　４　まとめ
　以上のとおり，被請求人は，本件審判の請求の登録前３年以内に日本国内において，本件商標権者が，その請求に係る指定商品について，本件商標（社会通念上同一の商標を含む。）の使用をしていたことを証明したと認められる。 
　したがって，本件商標の登録は，商標法第５０条の規定により，取り消すことはできない。
　よって，結論のとおり審決する。
【事件の表示】
　商願２０１５−９９６９０拒絶査定不服審判事件について，次のとおり審決する。
【結　論】
　原査定を取り消す。
　本願商標は，登録すべきものとする。
【理　由】
１　本願商標
　本願商標は，「ナイト　ミュージアム」の文字を標準文字で表してなり，第４１類に属する願書記載のとおりの役務を指定役務として，平成２６年６月３日に登録出願された商願２０１４−４５０２０に係る商標法第１０条１項の規定による商標登録出願として，同２７年１０月１５日に登録出願され，その後，指定役務については，当審における同２８年１１月２５日受付の手続補正書により，第４１類「映画の上映・制作又は配給並びにこれらに関する情報の提供」に補正されたものである。
２　原査定の拒絶の理由の要点
　本願商標は，「ナイト　ミュージアム」の文字を標準文字で表してなるところ，構成中の「ナイト」及び「ミュージアム」のそれぞれの語義から，全体として「夜間の博物館・美術館」ほどの意味合いを容易に認識させるものであり，「ナイトミュージアム」の語が，「美術館や博物館の開館時間を夜間まで延長し営業すること」ほどの意味合いで実際に使用され，かつ，その夜間営業中に各種娯楽イベントが行われている実情がある。そうすると，本願商標をその指定役務中，夜間開館している美術館や博物館における「娯楽の提供，演芸の上演，演劇の演出又は上演，音楽の演奏，映画・演芸・演劇又は音楽の演奏の興行の企画又は運営，興行の企画・運営又は開催（映画・演芸・演劇・音楽の演奏の興行及びスポーツ・競馬・競輪・競艇・小型自動車競走の興行に関するものを除く。）」に使用した場合，その役務が「夜間開館している美術館や博物館」において提供されていること，すなわち，役務の質（内容）及び提供場所を普通に用いられる方法で表示するにすぎない。したがって，本願商標は，商標法第３条第１項第３号に該当し，上記役務以外の役務に使用する場合は，役務の質の誤認を生じさせるおそれがあるので，同法第４条第１項第１６号に該当する。
３　当審の判断
　本願商標は，前記１のとおり，「ナイト　ミュージアム」の文字を標準文字で表してなるところ，当該構成中に１文字分の空白があることから，本願商標が「ナイト」の文字と「ミュージアム」の文字からなると認識し得るものである。
　そして，広く一般に親しまれた「ナイト」と「ミュージアム」の各文字のそれぞれの意味から，本願商標全体として「夜間の博物館・美術館」ほどの意味合いを想起する場合があるとしても，これが，本願商標の補正後の指定役務との関係において，特定の役務の質，提供場所を，直接的かつ具体的に表したものとはいい難い。
　また，職権により調査するも，本願商標の補正後の指定役務を扱う分野において，「ナイトミュージアム」の文字が，役務の質等を表すものとして，取引上，一般に使用されている事実は見当たらず，また，その他，当該文字を役務の質等を表示したものと認識するというべき事情も見当たらない。
　してみれば，本願商標は，これをその補正後の指定役務について使用しても，役務の質等を普通に用いられる方法で表示するものとはいえず，かつ，役務の質について誤認を生じるおそれもないものというべきである。
　したがって，本願商標は，商標法第３条第１項第３号及び同法第４条第１項第１６号に該当しない。
　その他，本願について拒絶の理由を発見しない。
　よって，結論のとおり審決する。
(57)【要約】【課題】ノートバインダーに残しておきたい書類や新聞等の切り抜きを綴じ込む時に使用するバインダーノート綴じ込み長方形シートを提供する。【解決手段】長方形シート本体（１）の片方の端に綴じ込み穴（２）、反対側の端に両面テープ（３）を設けたことを特徴とする。【選択図】図１
2022001425.tif 000002
【特許請求の範囲】
【請求項１】
長方形シート本体（１）の片方の端に綴じ込み穴（２）、反対側の端に両面テープ（３）を設けたことを特徴とするバインダーノート綴じ込み長方形シート。
【発明の詳細な説明】
【技術分野】
【０００１】  本発明は、バインダーノートに残しておきたい書類や新聞等の切り抜きを綴じ込む時に使用するバインダーノート綴じ込み長方形シートに関するものである。
【背景技術】
【０００２】  従来、残しておきたい書類や新聞記事の切り抜きをバインダーノートバに残しておく時、それ自体にパンチで綴じ込み穴を開けたり、リングリーフに直接貼りつけたりしていた。
【先行技術文献】
【特許文献】
【０００３】
【発明の概要】
【発明が解決しようとする課題】
【０００４】これは、つぎのような欠点があった。
従来のバインダーノートのリーフ穴は、製造メーカーやバインダーノートのサイズによって穴の規格が異なる為、穴あけパンチでの穴あけに時間がかかったり、開けた穴が不揃いになった。また、リーフに直接貼りつけると出来上がりが汚くなった。
本発明は、以上のような欠点をなくすためになされたものである。
【課題を解決するための手段】
【０００５】長方形シート本体（１）の片方の端に綴込み穴（２）、反対側の端に両面テープ（３）を設ける。本発明は、以上の構成からなるバインダーノート綴じ込み長方形シートである。
【発明の効果】
【０００６】バインダーノートのリングを開いて、そのリングにバインダーノート綴じ込み長方形シート本体（１）の綴じ込み穴（２）を通す。その時、バインダーノート綴じ込み長方形シート本体（１）に設けた両面テープ（３）の面が上側になるようにする。綴じ込む書類に合わせて、バインダーノート綴じ込み長方形シート本体（１）を複数枚、間隔を開けて並べる。その上に、書類を乗せて両面テープ（３）に書類を貼りつけ、バインダーノートリングを閉じて使用する。
【図面の簡単な説明】
【０００７】
【図１】  本発明の平面図
【図２】  本発明の側面図
【発明を実施するための形態】
【０００８】以下、本発明を実施するための形態について説明する。
長方形シート本体（１）の片方の端に綴込み穴（２）、反対側の端に両面テープ（３）を設ける。
本発明は、以上のような構造である。
本発明を使用する時は、バインダーノートのリングを開いて、そのリングにバインダーノート綴じ込み長方形シート本体（１）の綴じ込み穴（２）を通す。
その時、バインダーノート綴じ込み長方形シート本体（１）に設けた両面テープ（３）の面が上側になるようにする。綴じ込む書類に合わせて、バインダーノート綴じ込み長方形シート本体（１）を複数枚、リングに間隔を開けて並べる。その上に、綴じ込みたい書類等を乗せて両面テープ（３）に貼りつけ、バインダーノートのリングを閉じる。
【符号の説明】
【０００９】１  本体
２  綴じ込み穴
３  両面テープ
【図１】
2022001425.tif 000003
【図２】
2022001425.tif 000004
(57)【要約】【課題】経口不老不死薬のバージョン9を作り若返りと不老不死を完璧にする。【解決手段】iPS技術で自分由来の若くした人工血液を作る。その人工血液そのまま投与するか血液因子GDF11を取り出しコーティングして経口投与も選択肢とする。この若い血液は脳内のニューロンの形成を促し心臓の壁の厚さも逆転させ脳や心臓などあらゆるものを若返りさせる。若返りを全身で可能とする。                                                        以上のような特徴を持つ自分由来iPS若い血液応用GDF11分子コーティング若返り経口不老不死薬9【選択図】なし【特許請求の範囲】
【請求項１】
（a）iPS技術で自分由来の若くした人工血液を作る。
（ｂ）その人工血液そのまま投与するか血液因子GDF11を取り出し                    （ｃ）コーティングして経口投与も選択肢とする。
（ｄ）この若い血液は脳内のニューロンの形成を促し
（e）心臓の壁の厚さも逆転させ脳や心臓などあらゆるものを若返りさせる。若返りを全身で可能とする。                                                      
以上のような特徴を持つ自分由来iPS若い血液応用GDF11分子コーティング若返り経口不老不死薬9
【発明の詳細な説明】
【技術分野】
【０００１】
本発明は、経口不老不死薬の改良で主として中高年高齢老人のケースに関する。
【背景技術】
【０００２】
従来、ヒトｉＰＳ細胞初期化6因子利用経口不老不死薬に関する高齢老人向けの技術はあったが自分由来iPS若い血液応用GDF11分子コーティング若返り不死技術はなかった。
【０００３】
【非特許文献１】「2030年」266-268頁2021年
【非特許文献２】「セル」2014年GDF11
【非特許文献３】「iPS  人工血液」インターネット検索
【発明の開示】
【発明が解決しようとする課題】
【０００４】
従来、経口不老不死薬に関する中高年高齢老人向けの技術はすくなかったので最新技術よって改良実現させる。        
【課題を解決するための手段】
【０００５】
自分由来iPS若い血液応用GDF11分子コーティング若返り経口不老不死薬9投与と 高齢老人ヒトｉＰＳ血液因子をもとにコーティングか老人脳若返りで行う。
【発明の効果】
【０００６】
不老不死の肉体と40歳若返りを保てる。
【発明を実施するための最良の形態】
【０００７】
以下、本発明の実施例について時系列的に文章で説明する。iPS技術で自分由来の若くした人工血液を作る。その人工血液そのまま投与するか血液因子GDF11を取り出し                    コーティングして経口投与も選択肢とする。この若い血液は脳内のニューロンの形成を促し心臓の壁の厚さも逆転させ脳や心臓などあらゆるものを若返りさせる。若返りを全身で可能とする。                                                      
以上のような特徴を持つ自分由来iPS若い血液応用GDF11分子コーティング若返り経口不老不死薬9
【実施例】
【０００８】
上記の形態や非特許文献の如く実施される。
【産業上の利用可能性】
【０００９】
高齢老人ヒトｉＰＳ6因子コーティング初期化テロメア若返り利用老人脳光電極刺激全記憶甦り経口不老不死薬6やヒトｉＰＳ細胞初期化３遺伝子利用経口不老不死薬の改良技術で自分由来iPS若い血液応用GDF11で全身の各細胞レベルの各老化若返りで大きく進歩を遂げ高齢化が進む中この薬の需要の産業上の利用可能性は高いと解される。
(57)【要約】【課題】既存の衛生用マスクを装着した際の隙間を減らすための補助具である。【解決手段】従来の使用方法でマスクを着用する。その上から各個人の顔の形状に合うよう鼻、頬、顎まで形状を固定化できる素材を用いた環状体押さえ具１を、衛生用マスクの上からあてがい環状体押さえ具を、ひも状部材２本によって頭部に固定したことを特徴とする補助具。【選択図】図３
2022001685.tif 000002
【特許請求の範囲】
【請求項１】
従来の使用方法でマスクを着用する。その上から各個人の顔の形状に合うよう鼻、頬、顎まで形状を固定化できる素材を用いた環状体押さえ具１を、衛生用マスクの上からあてがい環状体押さえ具を、ひも状部材２本によって頭部に固定したことを特徴とする補助具。
【発明の詳細な説明】
【技術分野】
【０００１】本発明は、既存の衛生用マスクを装着した際の隙間を減らすための補助具である。
【背景技術】
【０００２】昨今、日本人のほとんどが日常的にマスクを装着するようになった時代において、その多くが合うか合わないかは別として１７５ｍｍ×９５ｍｍ、いわゆるレギュラーサイズのマスクを使用している。
【発明の概要】
【発明が解決しようとする課題】
【０００３】使用者の多くに見受けられる効果的ではない装着方法により生じた隙間は、フィルター面がたとえ高性能なマスクであっても、結果として隙間率が上がり、防御効果が発揮されていない場合が少なくない。本発明はこれらの隙間率を下げ、ウイルス等からの感染予防である衛生用マスク本来の効果を高めることを目的とするものである。
【課題を解決するための手段】
【０００４】まず、従来の使用方法でマスクを着用する。その上から各個人の顔の形状に合うよう鼻、頬、顎まで形状を固定化できる素材を用いた環状体押さえ具、１をマスクの上からあてがい、環状体押さえ具の左右２か所づつ、計４点からゴム材等のひも状部材を２本、頭部後方に回し固定する。２本のゴムが環状体押さえ具をマスク、顔に押し付けることによって、隙間を減らす効果をもたらすものである。
【発明の効果】
【０００５】単体マスクの上から、本発明補助具を顔の凹凸に合わせ装着することで、マスクの隙間から侵入する花粉による諸症状の緩和や、ウイルス等の侵入を減少させ、感染予防の効率化と共に、精神的な安心感も高められるものでる。
【図面の簡単な説明】
【０００６】
【図１】  本発明使用時の斜視図である。
【図２】  本発明の正面図である。
【図３】  本発明使用時の側面図である。
【図４】  ゴム紐結合部である。
【図５】  本発明本体の断面図である。
【発明を実施するための形態】
【０００７】以下、本発明の実施の形態について説明する。
大半の人が日常的な生活の中で使用を強いられていることは、ウイルス等からの感染をしない、させないことが目的の一つであるが、既存マスクを効果的に使用するため、補助具等の使用によって防御効率を高めた生活ができるような発明である。
【０００８】既存マスクの上から、本補助具によって隙間を押さえつけることが主たる構成である。図１の１、は顔の凹凸に合わせて変形させることを目的とした部材でなければならなず、芯、１ａとなる部材は、形状を固定化することができる針金等や、形状固定が可能な樹脂材を用いるのが望ましい。
【０００９】また、その形状化された芯で押さえ付けられる顔への負担を軽減させるために、その周りを発泡ポリエチレン等の部材、１ｂで覆うよう作成される。
【００１０】覆う部材としては必ずしも発泡ポリエチレン系素材に限定されるものではなく、シリコーン他の部材でも問題ない。
【００１１】２ａ、他３本、計４本の紐は伸縮性のあるゴム材により２ａは２ｂと頭部後方で繋がり、３ａと３ｂもまた頭部後方、下位置で繋がるが、２本のゴム紐によって固定する際、１の顔面に対する圧迫強度及びバランスを最善にするため、また時として圧迫を緩めることを可能にするための調整部、図４の４ａのような長さ調整具を設け、連結部４ｂ、４ｃによって固定する。
【００１２】調整部、固定部は、左右から回されるゴム紐を固定するための４ｂ、４ｃのような形状に限定されない。フック式、面ファスナー状形態の使用ほか快適性の高い方式が良い。頭部後方の連結部によって取り外しを可能にし、且つ長さの調整ができる形が望ましい。
【００１３】本体は、完全な環状体ではなく、図面上１１、鼻筋部起点三角形状をなし、本補助具を鼻筋を起点として、平面的な初期状態を各自の顔形状に対応させ、立体的形状に変更させる際に適している。また、初期設定時、左右のバランスをとる際にも便利な特徴となる。
本発明は以上の構成で使用する。
本発明を使用するときは、とくにサイズが合わない大きなマスクを使い、会話をする度にマスクがずれる人の隙間対策、マスク固定対策としての使用や、既存マスクの隙間が気になるとき、マスクの効力をより高めたいと思うような人混みに入る場合、満員電車内での密閉された状態での不安時などに圧迫強度や上下に配置された２本のゴム紐の強度を調整し、安定した装着感を得て使用する。
【符号の説明】
【００１４】１  環状体押さえ具  １ａ  環状体被覆部    １ｂ  環状体芯部  １１  鼻筋部起点三角２  ２ａ  ゴム紐右側、上    ２ｂ  ゴム紐左側、上                  形状部
３  ３ａ  ゴム紐右側、下    ３ｂ  ゴム紐左側、下    ３ｃ  長さ調整部
４  ４ａ  長さ調整部        ４ｂ  連結部、雌        ４ｃ  連結部、雄
Ｍ  マスク                  Ｍ１  マスク紐部
【図１】
2022001685.tif 000003
【図２】
2022001685.tif 000004
【図３】
2022001685.tif 000005
【図４】
2022001685.tif 000006
【図５】
2022001685.tif 000007
(57)【要約】      （修正有）【課題】雪をその場で融かし融雪する機械を提供する。【解決手段】プロパンガスバーナーで熱伝導率の高い銅のドラムの中に銅管でハニカム状に配管させドラムの上部と側面に耐火煉瓦を敷き込み蓄熱を高め、熱効率を上げたボイラーでバケットに取り込んだ雪は瞬時に融け融けた雪水は後方のバキュームタンクの中に取り込み、後で用水路放出させるシステムである。【選択図】なし【特許請求の範囲】
【請求項１】
バケットの中に雪を融雪する為にボイラーが内蔵されたバケットである。
【請求項２】
ボイラー中には銅管を入れハニカム状にし熱伝導の熱源にプロパンガスバーナーを使用した物である。
【請求項３】
熱効率を上げ保温にドラムの側面に耐火煉瓦を敷き並べたボイラーである。
【請求項４】
雪を融かした水は後方のバキュームタンクへ送り、タンクの中で一時的に溜まるタンクが取り付けた物である。
【請求項５】
バキュームタンクの下の両脇に移動し易い様にタイヤを付けた物である。
【発明の詳細な説明】
【技術分野】
【０００１】  ドラムボイラースチーム管の中に蓄熱、熱伝導に銅管をハニカム状に成る様にし両脇からガスバーナーで加熱させ耐火煉瓦を蓄熱させ、バケットの中の雪を融かすシステム。
【背景技術】
【０００２】  今だに除雪となると、数台の機械で雪を寄せ集め退かし、運んで捨ての繰り返しでの作業で毎年進歩が見られないのである。そこで、このスノーバスターバケットドラムタンクシステムは雪をその場で融かし融雪する機械である。
【発明の開示】
【発明が解決しようとする課題】
【０００３】  毎年雪の降る地方の人々の財政負担の軽減に、雪を融しながら移動する事でライフラインの確保が最も大事である。今回発明開発した、融雪機は世界初もちろん日本初である。
【課題を解決するための手段】
【０００４】  バーナー熱伝導装置に雪ドラムに取り込み熱風で、ドラム内のハニカム状の銅管を熱しドラム全体を高温にし雪を融かす手法である。
【発明の効果】
【０００５】  効果は抜群、従来の除雪とは違って雪を退かない、集めない運ばない捨てないの手間が掛からない、両期的な発明な発明である。
【発明を実施するための最良の形態】
【０００６】  この融雪機は構造的にはすごく簡単でシンプルイズベストである。単価も安く地方自治体にも貢献出来るのである。
【実施例】
【０００７】  雪は氷点下に成らなければ結晶しないのは誰もが知るように少しの温度を直に当てれば瞬時に融けるドラムを高温にした所に雪が当たる事で雪は融ける。スノーバスタースキードラムシステムでライフラインは確保出来るのである。
【産業上の利用可能性】
【０００８】  毎年毎年雪は嫌がおうでも降り積もるのである。そこで素早く雪を融かす事でライフラインを確保する事で人々の往来が出来る事で色々な産業に利用可能な事になるのである。
【図面の簡単な説明】
【０００９】図面の名称
Ａは正面図                    Ｃは後面図
Ｂは側面断面図                Ｄは上面図
（ア）ダム（バケット）              （カ）フォーク（爪）
（イ）    （バケット）              （キ）支柱
（ウ）雪                            （ク）バキュームタンク
（エ）ドラム                        （ケ）ジョイント
（オ）スロープ                      （コ）発熱装置（ボイラー）
（サ）銅板                          （タ）プレート（保熱材）
（シ）スキー（ステンレス）          （チ）融雪水
（ス）ハニカム状                    （ッ）融雪排水口
（セ）スロープ（ステンレス）        （テ）タイヤ（車）
（ソ）骨材（スチール）              （ト）耐火煉瓦
（ナ）プロパンガスボンベ            （ヌ）クサリ
（二）バーナー                      （ネ）銅管
【図１】
2022001728.tif 000002
(57)【要約】      （修正有）【課題】本発明は、新型コロナウィルスなどによりマスクが必需品となった今、マスクに様々なチャームを付けることにより、マスク生活を個性的におしゃれに楽しむことができる。また、チャーム本体と固定部を接続部位により一体化させ、使い捨てマスクや厚手の布製マスクなどを傷つけずに簡単に脱着でき、繰り返し使用できるマグネットマスクチャームを提供する。【解決手段】装飾部１にマグネット６を設けたチャーム本体２に接続部材５を設け、その接続部材５の残る一端に、レジンでマグネット６をコーティングした固定部４を設けたマグネットマスクチャーム。【選択図】図１
2022001244.tif 000002
【特許請求の範囲】
【請求項１】
装飾部にマグネットを設けたチャーム本体に接続部材を設け、その接続部材の残る一端に、レジンでマグネットをコーティングした固定部を設けたマグネットマスクチャーム。
【発明の詳細な説明】
【技術分野】
【０００１】本発明は、マグネットパーツを使用したマスクチャームに関するものである。
【背景技術】
【０００２】従来、マスクにスナップボタンのような取り付け具を使用したマスクアクセサリーがあった（特許文献１参照）。
また、マスクに面ファスナー、ボタン、クリップを介して装飾部を取り付けるものがあった（特許文献２参照）。
また、マスク本体に接着剤を使い、色や飾りを付けるものがあった（特許文献３参照）。
また、磁石によって装飾具を取り付ける付着型装飾具があった（特許文献４参照）。
【先行技術文献】
【特許文献】
【０００３】
【特許文献１】特開２０１７−１９２６７９号公報
【特許文献２】特開２０１２−１４３４８６号公報
【特許文献３】特開２００６−２６３４０８号公報
【特許文献４】特開２０１９−２０９０７５号公報
【発明の概要】
【発明が解決しようとする課題】
【０００４】  これには次のような問題点があった。
（イ）マスクにスナップボタンのような取り付け具を使用したアクセサリーでは、マスクに穴や傷がつくことがあり、使い捨てマスクや薄手のマスクには取り付け可能だが、布製や厚手のマスクには不向きである。
（ロ）マスクに面ファスナー、ボタン、クリップを介して装飾部を取り付けるものは、マスク本体に縫い付けるなど手を加える必要がある。
（ハ）マスク本体に接着剤を使い色や飾りを付けるものは、そのマスクだけの装飾となってしまう。
（ニ）磁石によって装飾具を取り付ける付着型装飾具は、大きめの装飾具には良いが、マスクチャームのような小さなマグネットの使用では脱着時など落下する恐れがある。また、小さなマグネットをマスク裏面にそのまま付けると、肌に直接触れてしまい、小児などによる誤飲の危険がある。
本発明は、これらの問題点を解決するためになされたものである。
【課題を解決するための手段】
【０００５】装飾部にマグネットを設けたチャーム本体に接続部材を設け、その接続部材の残る一端に、レジンでマグネットをコーティングした固定部を設けたマグネットマスクチャーム。
以上を特徴とするマグネットマスクチャームである。
【発明の効果】
【０００６】（イ）ブローチピンやスナップボタンを使用せず、穴や傷をつけることなく使い捨てマスクや厚手の布製マスクにも簡単に何度でも脱着できる。
（ロ）マスク本体に縫い付けるなど手を加える必要もなく、いろいろなマスクに簡単に何度でも取り付け可能である。
（ハ）そのマスクだけの装飾でなく、いろいろなマスクに簡単に何度でも取り付け可能である。
（ニ）磁石による装飾具を取り付ける場合のように、そのまま磁石を固定部として使用するのではなく、チャーム本体とコーティングした固定部を接続部材で一体化することにより、落下防止になり、小児などによる誤飲の危険を防げる。
（ホ）固定部の小さなマグネットをレジン液でコーティングすることにより、マグネットが直接肌に触れることを防ぎ、固定部も薄く小さいため肌への違和感も少ない。
（ヘ）マスクだけでなく、マグネット磁力の許容範囲内であれば、ブラウス、ジャケットの襟やポケット、着物の衿や帯、バッグなどのチャームとしても使用可能。
（ト）固定部にラメ・着色を施しレジンで成形すれば、固定部もチャーム本体として使用可能となり、チャーム本体と固定部を逆に装着し、リバーシブルとして使用することもできる。
（チ）マスクによる個性化を図り、マスク生活をおしゃれに楽しむことができる。
【図面の簡単な説明】
【０００７】
【図１】  本発明の正面図である。
【図２】  本発明の取り付け状態を表した図である。
【図３】  本発明の使用を表した図である。
【発明を実施するための形態】
【０００８】以下、本発明の実施の形態について説明する。
装飾部にマグネットを設けたチャーム本体に接続部材を設け、その接続部材の残る一端に、レジンでマグネットをコーティングした固定部を設けたマグネットマスクチャーム。
本発明は以上のような構成である。
本発明を使用する時は、チャーム本体をマスク表面に、接続部材で繋いだ固定部をマスク裏面に持っていき、チャーム本体マグネットと固定部のマグネットでマスクを挟み込むように固定して使用する。
チャーム本体の装飾部には、刺繍パーツ、アクセサリー用チャーム、レジンチャームなどを使用し、これにマグネットを接着剤やレジンで接着する。
接着部材はチェーン、ワックスコード、革紐などを使用。
チャーム本体への接続部材の接続は、接着剤、縫い付け、レジンでの硬化などを用いる。
固定部は型にマグネットと接着部材の一端を入れ、レジン液を入れ硬化させて、一体成形する。
この時、ラメやビーズ、着色用レジン液を入れ装飾すれば、固定部はチャーム本体にもなりリバーシブルとして使用可能。
【符号の説明】
【０００９】  １  装飾部
２  チャーム本体
３  レジン
４  固定部
５  接続部材
６  マグネット
７  マグネット
８  マスク
９  マグネットマスクチャーム
【図１】
2022001244.tif 000003
【図２】
2022001244.tif 000004
【図３】
2022001244.tif 000005